(57)【要約】【課題】導光部材を用いて線状に発光させる発光装置において、導光部材の断線などを簡単な構成で検出する。【解決手段】第一レーザーダイオード１６１、第二レーザーダイオード１６２を有する放射装置１０６と、レーザー光を第一受光端部１１１、および、第二受光端部１１２でそれぞれ受光し、受光したレーザー光を導光するとともにその一部を導光方向と交差する方向に漏出させる漏出手段１１３を有する導光部材１０１と、導光部材１０１から漏出するレーザー光を波長変換する変換部材１０３と、レーザー光を放射していない非放射時において、第二レーザーダイオード１６２が放射したレーザー光に基づく第一レーザーダイオード１６１の起電力を検出する検出装置１０７とを備える発光装置。【選択図】図１
2018018720.tif 000002
【特許請求の範囲】
【請求項１】
レーザーダイオードを有する放射装置と、
前記放射装置から放射されるレーザー光を一端部にある第一受光端部、および、他端部にある第二受光端部でそれぞれ受光し、受光したレーザー光を導光するとともにその一部を導光方向と交差する方向に漏出させる漏出手段を有する導光部材と、
前記導光部材に沿って配置され、前記導光部材から漏出するレーザー光を波長変換する変換部材と、
前記レーザーダイオードがレーザー光を放射していない非放射時において、前記レーザーダイオードが放射したレーザー光に基づく前記レーザーダイオードの起電力を検出し、前記導光部材の状態に関する状態情報を報知する検出装置と
を備える発光装置。
【請求項２】
前記放射装置は前記レーザーダイオードとして、
前記第一受光端部に対してレーザー光を放射する第一レーザーダイオードと、
前記第二受光端部に対してレーザー光を放射する第二レーザーダイオードとを備え、
前記検出装置は、
前記第一レーザーダイオードの起電力を検出する
請求項１に記載の発光装置。
【請求項３】
前記放射装置は、
前記第二レーザーダイオードの定格出力よりも低い出力で前記第二レーザーダイオードにレーザー光を発振させる低出力部を備え、
前記検出装置は、
前記放射装置の前記第二レーザーダイオードが低出力でレーザー光を発振している際の前記第一レーザーダイオードの起電力が第一閾値以下の場合、状態情報として異常を報知する
請求項２に記載の発光装置。
【請求項４】
前記検出装置は、
前記第二レーザーダイオードが定格出力で発振するレーザー光に基づく第一レーザーダイオードの起電力が第二閾値以下の場合、状態情報として異常を報知する
請求項２に記載の発光装置。
【請求項５】
レーザーダイオードを有する放射装置と、前記放射装置から放射されるレーザー光を一端部にある第一受光端部、および、他端部にある第二受光端部でそれぞれ受光し、受光したレーザー光を導光するとともにその一部を導光方向と交差する方向に漏出させる漏出手段を有する導光部材と、前記導光部材に沿って配置され、前記導光部材から漏出するレーザー光を波長変換する変換部材と、前記レーザーダイオードがレーザー光を放射していない非放射時において、前記レーザーダイオードが放射したレーザー光に基づく前記レーザーダイオードの起電力を検出し、前記導光部材の状態に関する状態情報を報知する検出装置とを備える発光装置の点検方法であって、
前記レーザーダイオードが定格出力のレーザー光を発振させて前記発光装置を点灯する前に前記定格出力よりも弱いレーザー光を発振させ、
レーザーダイオードの起電力が第一閾値以下であると前記検出装置が検出した場合、前記導光部材の異常を報知する
発光装置の点検方法。
【発明の詳細な説明】
【技術分野】
【０００１】
本発明は、レーザー光を光源として線状に発光する発光装置、および、発光装置の点検方法に関する。
【背景技術】
【０００２】
従来、光ファイバーなどの導光部材の内部に導光する光の一部を漏出させる漏出手段を備え、漏出してきた光に基づき導光部材の周囲に配置された蛍光体により可視光をライン状に発光させる発光装置が存在している。
【０００３】
たとえば、特許文献１や特許文献２には、前記発光装置の導光部材を一平面内に蛇行状、または、ループ状に配置して面発光させる技術が記載されている。
【先行技術文献】
【特許文献】
【０００４】
【特許文献１】特開平５−２７１２１号公報
【特許文献２】特開２００６−３５９８号公報
【発明の概要】
【発明が解決しようとする課題】
【０００５】
上記のような発光装置が備える導光部材に断線が発生した場合、導光部材から不本意な方向にレーザー光か放射されることになり、人の目に悪影響を与える可能性がある。また、導光部材に無理な曲げが発生した場合は、導光するレーザー光の曲げ損失が発生し発生する光量が減少する。しかし、導光部材の断線や無理な曲げの発生を検出する有効な手段は未だ存在していない。
【０００６】
本発明は、導光部材を用いて線状に発光させる発光装置において、導光部材の断線などを検出する発光装置、および、発光装置の点検方法の提供を目的としている。
【課題を解決するための手段】
【０００７】
本発明の一態様に係る発光装置は、レーザーダイオードを有する放射装置と、前記放射装置から放射されるレーザー光を一端部にある第一受光端部、および、他端部にある第二受光端部でそれぞれ受光し、受光したレーザー光を導光するとともにその一部を導光方向と交差する方向に漏出させる漏出手段を有する導光部材と、前記導光部材に沿って配置され、前記導光部材から漏出するレーザー光を波長変換する変換部材と、前記レーザーダイオードがレーザー光を放射していない非放射時において、前記レーザーダイオードが放射したレーザー光に基づく前記レーザーダイオードの起電力を検出し、前記導光部材の状態に関する状態情報を報知する検出装置とを備えることを特徴としている。
【０００８】
また、本発明の他の態様に係る発光装置の点検方法は、レーザーダイオードを有する放射装置と、前記放射装置から放射されるレーザー光を一端部にある第一受光端部、および、他端部にある第二受光端部でそれぞれ受光し、受光したレーザー光を導光するとともにその一部を導光方向と交差する方向に漏出させる漏出手段を有する導光部材と、前記導光部材に沿って配置され、前記導光部材から漏出するレーザー光を波長変換する変換部材と、前記レーザーダイオードがレーザー光を放射していない非放射時において、前記レーザーダイオードが放射したレーザー光に基づく前記レーザーダイオードの起電力を検出し、前記導光部材の状態に関する状態情報を報知する検出装置とを備える発光装置の点検方法であって、前記レーザーダイオードが定格出力のレーザー光を発振させて前記発光装置を点灯する前に前記定格出力よりも弱いレーザー光を発振させ、前記検出装置が、レーザーダイオードの起電力が第一閾値以下であると検出した場合、前記導光部材の以上を報知することを特徴としている。
【発明の効果】
【０００９】
本発明によれば、導光部材を用いた線状の発光において、導光部材の断線や無理な曲げなどの発生を検出し導光部材の状態を報知することができる。
【図面の簡単な説明】
【００１０】
【図１】実施の形態に係る発光装置の構成を示す図である。
【図２】レーザー光の導光方向に対し垂直に切断した導光部材および変換部材の断面を示す断面図である。
【図３】レーザー光の導光方向に沿って切断した導光部材および変換部材の断面を示す断面図である。
【図４】発光装置の点灯時の動作の流れを示すフローチャートである。
【図５】発光装置の定格点灯時の異常検出方法の流れを示すフローチャートである。
【図６】発光装置の変形例を示す図である。
【図７】保護部材内方に配置される導光部材を示す断面斜視図である。
【発明を実施するための形態】
【００１１】
以下では、本発明の実施の形態に係る発光装置について、図面を用いて説明する。なお、以下に説明する実施の形態及びその変形例は、いずれも本発明の一具体例を示すものである。従って、以下の実施の形態及び変形例で示される数値、形状、材料、構成要素、構成要素の配置及び接続形態等は、一例であり、本発明を限定する趣旨ではない。よって、以下の実施の形態及び変形例における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付し、その説明が省略される場合がある。
【００１３】
［発光装置の構成］
図１は、実施の形態に係る発光装置の構成を示す図である。
【００１４】
同図に示すように、本実施の形態に係る発光装置１００は、例えば、建屋内や移動体内、または、屋外等において所定の空間を照らしたり、表示灯、ネオンサインなどとして用いられる装置であり、放射装置１０６と、導光部材１０１と、変換部材１０３と、検出装置１０７とを備えている。
【００１５】
［放射装置１０６］
放射装置１０６は、変換部材１０３に照射するレーザー光を発生させるレーザーダイオードを備えた装置である。放射装置１０６が備えるレーザーダイオードは、変換部材１０３によって長波長側の可視光が放射されるように、短波長側の青紫〜青色（４３０〜４９０ｎｍ）のレーザー光を放射するものとなっている。本実施の形態の場合、放射装置１０６は、第一受光端部１１１に照射するレーザー光を発振する第一レーザーダイオード１６１と、第二受光端部１１２にレーザー光を照射する第二レーザーダイオード１６２とを備えている。なお本実施の形態の場合、第一受光端部１１１に照射するレーザー光を発振するレーザーダイオードを放射装置１０６は、複数備えているが、これらを総称して第一レーザーダイオード１６１と記載し、第二受光端部１１２に照射する複数のレーザーダイオードを第二レーザーダイオード１６２と記載するものとする。
【００１６】
第一レーザーダイオード１６１、および、第二レーザーダイオード１６２にそれぞれ含まれるレーザーダイオードは、放射装置１０６が備える電源装置１６９にそれぞれ直列に接続されている。放射装置１０６が備える複数のレーザーダイオードは、一つの筐体内に集合した状態で配置されている。また、放射装置１０６は、複数のレーザーダイオードが照射するレーザー光を一つにまとめることのできる導波径路体２０２を備えている。
【００１７】
［電源装置１６９］
電源装置１６９は、第一レーザーダイオード１６１、および、第二レーザーダイオード１６２がそれぞれ含むレーザーダイオードにレーザー光を発振させるための電力を供給する装置である。本実施の形態の場合、電源装置１６９は、直流電源装置であって、直列に接続される全てのレーザーダイオードに対し所定の電圧を印加することができるものとなっている。また、電源装置１６９は、第一レーザーダイオード１６１と第二レーザーダイオード１６２とを所定の周波数で交互にレーザー発振できるように制御することができるものとなっている。
【００１８】
本実施の形態の場合、電源装置１６９はさらに、制御部として遮断部１６３と、低出力部１６４とを備えている。
【００１９】
遮断部１６３は、検出装置１０７が報知した状態情報に基づき第一レーザーダイオード１６１、および、第二レーザーダイオード１６２のレーザー発振を遮断する処理部である。なお、具体的な遮断条件などは後述する。
【００２０】
低出力部１６４は、第二レーザーダイオード１６２の定格出力よりも低い出力で第二レーザーダイオード１６２にレーザー光を発振させる制御を行う処理部である。また、低出力部１６４は、低出力で第二レーザーダイオード１６２がレーザー光を発振させていることを示す低出力発振情報を検出装置１０７に送信することができるものとなっている。
【００２１】
［導光部材１０１］
図２は、レーザー光の導光方向に対し垂直に切断した導光部材および変換部材の断面を示す断面図である。
【００２２】
図３は、レーザー光の導光方向に沿って切断した導光部材および変換部材の断面を示す断面図である。
【００２３】
導光部材１０１は、放射装置１０６から放射されるレーザー光を線状の径路に沿って導光することのできる部材であり、一端部には第一受光端部１１１、他端部には第二受光端部１１２を備えている。また、導光部材１０１は、受光したレーザー光を導光するとともに導光しているレーザー光の一部を導光方向と交差する方向に漏出させる漏出手段１１３を備えている。
【００２４】
本実施の形態の場合導光部材１０１は、フレキシブルな（可撓性を有する）いわゆる光ファイバーであり、コア１１４とクラッド１１５とを備えている。導光部材１０１は、クラッド１１５よりもコア１１４の屈折率を高くすることで、全反射によりレーザー光をコア１１４内に止め、高い効率でレーザー光を導光する。コア１１４、および、クラッド１１５は、例えば石英ガラスやアクリル樹脂のようなプラスチック材料など、レーザー光に対して透過率が高い材質で構成されている。
【００２５】
［漏出手段１１３］
漏出手段１１３は、導光部材１０１に導光されてコア１１４内を通過するレーザー光の一部を導光方向と交差する方向に漏出させる部材、または、構造である。
【００２６】
本実施の形態の場合、漏出手段１１３は、コア１１４内に分散状態で配置される微小なビーズである。当該ビーズは、レーザー光を散乱させる表面を備えており、漏出手段１１３によって散乱したレーザー光の一部は、導光方向とは異なる方向に進行し、クラッド１１５を通過して導光部材１０１の外に漏出する。
【００２７】
なお、漏出手段１１３は、コア１１４内に分散配置されたビーズだけに限定されるものではなく、他の部材や構造であってもかまわない。例えば、漏出手段１１３は、コア１１４内に分散状態で設けられた空隙（気泡）などでもよい。また、漏出手段１１３は、クラッド１１５の一部に設けられたクラッド１１５とは異なる屈折率を備えた部分であって、コア１１４内を通過するレーザー光が全反射しない条件の部分などであってもよい。
【００２８】
［変換部材１０３］
変換部材１０３は、導光部材１０１に沿って配置され、導光部材１０１から漏出手段１１３によって導光方向と交差する方向に漏出するレーザー光を波長変換する部材である。本実施の形態の場合、変換部材１０３は、導光部材１０１から漏出したレーザー光によって励起されて蛍光を発する蛍光体の粒子を分散状態で備えるいわゆるリモートフォスファーである。具体的に、変換部材１０３は、透明な基材の内部に蛍光体の粒子が分散配置されているもの等を例示できる。また、変換部材１０３を構成する基材は、レーザー光および蛍光体が放射する光に対して透明であり、導光部材１０１の形状の変化に追随して撓む樹脂などで構成されている。
【００２９】
変換部材１０３は、少なくとも一種類の蛍光体を含むものであればよいが、本実施の形態の場合、変換部材１０３は、複数種類の蛍光体を含んでいる。より具体的には、変換部材１０３は、放射装置１０６から受光した短波長のレーザー光を励起光として白色光など任意の色の光りを放射するために、レーザー光よりも長波長の赤・黄、緑などの色を発光する複数種類の蛍光体を適切な割合で含んでいる。このように、短波長のレーザー光により励起した複数種類の蛍光体が放射した異なる波長の光が混ざり合うことにより任意の色の光を放射することができるものとなっている。ここで、「割合」の文言は、対象の少なくとも一つが０である場合も含むものとして用いている。
【００３０】
変換部材１０３を導光部材１０１に沿って配置する方法は特に限定されるものではないが、例えば、導光部材１０１の周面に蛍光体を含有する液状の基材（樹脂）を塗布することにより変換部材１０３を導光部材１０１に取り付けてもよくまた、シート状や円筒状の変換部材１０３を導光部材１０１にラミネートなどしてもかまわない。
【００３１】
なお、導光部材１０１のクラッド１１５に蛍光体を含有させ、当該蛍光体を変換部材１０３、および、漏出手段１１３として機能させてもかまわない。
【００３２】
なお、蛍光体の濃度、および、複数種類の蛍光体の割合の少なくとも一つを、導光部材１０１に沿って段階的、または、連続的に変化させてもよい。
【００３３】
また、変換部材１０３には、レーザー光を蛍光体に効率よく照射するための機能膜、発光した可視光を効率よく放射するための機能膜などを備えていてもかまわない。
【００３４】
さらに、変換部材１０３を擦れや傷から保護する被覆部材１３１を備えても構わない。被覆部材１３１の形成、および、変換部材１０３の周囲への配置方法は特に限定されるものはないが、柔軟性を備えた肉薄の樹脂チューブを変換部材１０３の周囲に密着状態で配置してもよい。また、被覆部材１３１は、変換部材１０３に液状の樹脂を塗布し、それを紫外線や熱などにより硬化させて形成してもよい。
【００３５】
なお、被覆部材１３１にレーザー光を散乱させて、導光部材１０１および変換部材１０３から漏出するレーザー光のコヒーレンスを低減させる散乱部材、または、構造を備えてもかまわない。
【００３６】
［副導光部材１０２］
本実施の形態の場合、発光装置１００は、第一レーザーダイオード１６１が発振した光を第一受光端部１１１に導光するための副導光部材１０２を備えている。副導光部材１０２は、導光部材１０１と同様に、放射装置１０６から放射されるレーザー光を線状の径路に沿って導光することのできる部材であり、放射装置１０６側の端部には、レーザー光を受光する第三受光端部１２１を備え、受光したレーザー光を導光部材１０１の第一受光端部１１１にまで導光する。また、副導光部材１０２は、導光部材１０１と異なり、漏出手段１１３を積極的に備えるものではない。また、副導光部材１０２は、導光部材１０１に沿って配置されている。ここで、漏出手段１１３を積極的に備えるとは、導光部材１０１のように、コア１１４内にビーズを配置するような、人為的に漏出手段１１３を導光部材に形成することである。
【００３７】
本実施の形態の場合副導光部材１０２は、導光部材１０１と同様のコア１１４とクラッド１１５とを備えた光ファイバーである。また、副導光部材１０２は、第三受光端部１２１と反対側に最小曲げ半径程度に湾曲した湾曲部１２２を備えており、湾曲部１２２を含めると副導光部材１０２の長さは、導光部材１０１よりも長くなっている。
【００３８】
［折り返し部材１０４］
本実施の形態の場合、発光装置１００は、折り返し部材１０４を備えている。折り返し部材１０４は、導光部材１０１の第一受光端部１１１側に配置され副導光部材１０２で導光されるレーザー光を折り返すための部材である。本実施の形態の場合、折り返し部材１０４は、副導光部材１０２の第三受光端部１２１と反対側の端部が最小曲げ半径程度で湾曲する湾曲部１２２の湾曲状態を維持し、外部から受ける圧力などから湾曲部１２２を保護する剛性の高い部材である。ここで、副導光部材１０２の最小曲げ半径とは、副導光部材１０２を曲げることにより発生する導光ロスが許容範囲に収まることのできる最小の曲げ半径のことであり、一例を示すと、副導光部材１０２の直径の１０倍程度と考えられている。なお、最小曲げ半径は副導光部材１０２を構成する部材（コアやクラッドなど）の種類などに依存する。
【００３９】
［検出装置１０７］
検出装置１０７は、放射装置１０６が備えるレーザーダイオードがレーザー光を放射していない非放射時において、レーザーダイオードが放射したレーザー光に基づくレーザーダイオードの起電力を検出し、導光部材の状態に関する状態情報を報知する装置である。本実施の形態の場合、検出装置１０７は、第一レーザーダイオード１６１に含まれる一つのレーザーダイオードに接続されている。検出装置１０７は、電源装置１６９により第一レーザーダイオード１６１に電力が供給されていない非放射時において、電源装置１６９により第二レーザーダイオード１６２が発振したレーザー光を受光したレーザーダイオードの起電力を検出する。なお、レーザーダイオードがレーザー光を受光することにより発生する起電力は、レーザーダイオードの種類などに依存するが、一例を挙げれば、数ミリボルト〜数十ミリボルトの起電力が発生する。
【００４０】
また、検出装置１０７は、検出した電圧に基づき導光部材の状態、例えば、電圧が検出できない場合は断線している旨を示す状態情報を生成し、電圧を検出することができるが微弱な場合は無理に曲げられている旨を示す状態情報を生成し、検出電圧が所定の閾値以上の場合は異常なしを示す状態情報を生成して電源装置１６９などに報知することができるものとなっている。
【００４１】
本実施の形態の場合、検出装置１０７は、導光部材１０１の異常ばかりでなく、副導光部材１０２の異常も検出することができる。
【００４２】
［発光装置の点検方法］
次に、発光装置の点検方法を説明する。
【００４３】
図４は、発光装置の点灯時の動作の流れを示すフローチャートである。
【００４４】
同図に示すように、発光装置１００のレーザーダイオードが定格でレーザー光を発振させて発光装置１００を定格点灯させるべく電源装置１６９をＯＮにする（Ｓ１０１）。低出力部１６４は、この段階では、第一レーザーダイオード１６１は発振させず、第二レーザーダイオード１６２に定格出力よりも弱いレーザー光を発振させるように制御して、点検モードを創出する（Ｓ１０２）。
【００４５】
点検モードにおいて、検出装置１０７は、第一レーザーダイオード１６１に含まれる一つのレーザーダイオードの起電力を検出する（Ｓ１０３）。さらに、検出装置１０７は、検出結果が第一閾値以下であると判断した場合（Ｓ１０４：Ｙ）、導光部材１０１に断線や無理な曲げなどの不具合が発生したと判断し状態情報の一つとして異常を報知する（Ｓ１０５）。なお、図中などに示す「Ｙ」は、Ｙｅｓを示している。以下同じ。
【００４６】
ここで、異常の報知の方法は特に限定されるものではないが、例えば、発光装置１００に異常報知用のランプを設け、このランプを点灯させる報知方法や、異常情報を有線や無線により送信する報知方法などを挙示することができる。また、状態情報を送信することも異常の報知に含まれる。
【００４７】
次に、検出装置１０７が異常と判断した場合、電源装置１６９は、発光装置１００の点灯動作を停止する（Ｓ１０６）。
【００４８】
一方、検出装置１０７は、検出結果が第一閾値より高いと判断した場合（Ｓ１０４：Ｎ）、低出力部１６４は点検モードを終了する（Ｓ１０７）。なお、図中などに示す「Ｎ」は、Ｎｏを示している。以下同じ。
【００４９】
点検モードが終了すると、発光装置１００は、第一レーザーダイオード１６１、および、第二レーザーダイオード１６２を定格出力で発振させ、発光装置１００を定格点灯させる。
【００５０】
［効果］
以上説明したように、本実施の形態に係る発光装置１００の点検方法によれば、発光装置１００を定格点灯させる前に、断線や無理な曲げなど導光部材１０１や副導光部材１０２に発生する不具合を検出することができるため、レーザーダイオードを定格で発振させることなく発光装置１００の点灯動作を停止させることができる。従って、導光部材１０１が断線している場合に、不本意なレーザー光の漏れを防止することができ、人の目に対する安全性を向上させることが可能となる。また、導光部材１０１や副導光部材１０２に無理な曲げなどが発生していることを作業者が認知でき、該当箇所を探索して無理な曲げの発生に対処することが可能となる。
【００５１】
また、第一受光端部１１１、および、第二受光端部１１２の両方からレーザー光を受光し、相互に反対に向かって導光するため、導光部材１０１の延在方向において可視光の輝度むらを抑制することができる。
【００５２】
また、構造的強度が比較的弱くなる副導光部材１０２の湾曲部１２２を折り返し部材１０４が保護しているため、発光装置１００全体の構造的強度が向上し、外部から圧力が加えられるような床面上などにも発光装置１００を配線することが可能となる。
【００５３】
［発光装置の定格点灯時の異常検出方法］
次に、発光装置１００が定格点灯している際に、導光部材１０１や副導光部材１０２に断線や無理な曲げなどの不具合が発生した場合の異常検出方法を説明する。
【００５４】
図５は、発光装置の定格点灯時の異常検出方法の流れを示すフローチャートである。
【００５５】
定格点灯時において、発光装置１００は、第一レーザーダイオード１６１と第二レーザーダイオード１６２とを定格出力で交互に発振させ変換部材１０３を発光させている（Ｓ２１０）。これにより、線状に発光する発光装置１００において、延在方向における輝度むらを低減し、かつ、レーザーダイオードの長寿命化を図っている。
【００５６】
検出装置１０７は、電源装置１６９が第一レーザーダイオード１６１に電力を供給せず、第一レーザーダイオード１６１がレーザー光を放射しなくなるタイミングを電源装置１６９から取得し、次に電源装置１６９が第一レーザーダイオード１６１に電力を供給するまでの間に、第二レーザーダイオード１６２が定格出力で発振するレーザー光に基づく第一レーザーダイオードの一つから起電力を検出する（Ｓ２０２）。さらに、検出装置１０７は、検出結果が第二閾値以下であると判断した場合（Ｓ２０３：Ｙ）、導光部材１０１に断線や無理な曲げなどの不具合が発生したと判断し状態情報の一つとして異常を報知する（Ｓ２０４）。
【００５７】
次に、検出装置１０７から異常を示す状態情報を取得した遮断部１６３は、即座に第一レーザーダイオード１６１、および、第二レーザーダイオード１６２への電力の供給を遮断する。
【００５８】
［効果］
以上説明したように、本実施の形態に係る発光装置１００の定格点灯時に導光部材１０１などの異常を検出することにより、発光装置１００を定格点灯させている間における突発的な断線や無理な曲げなど導光部材１０１や副導光部材１０２に発生する不具合を検出することができる。従って、点灯中の発光装置１００の導光部材１０１や副導光部材１０２に断線が発生した場合に、不本意なレーザー光の漏れをすぐに停止することができ、人の目に対する安全性を確保することが可能となる。また、導光部材１０１や副導光部材１０２に無理な曲げなどが発生していることを作業者が認知でき、無理な曲げに起因する導光部材１０１などの断線を未然に防ぐことが可能となる。
【００５９】
また、副導光部材１０２が導光部材１０１に沿って配置されているため、一つの放射装置１０６から放射されるレーザー光を発光装置１００の一方側からのみ受光することができる。従って、導光部材１０１、および、副導光部材１０２のいずれかの箇所が断線などしてレーザー光が不本意に出射するような場合でも、一台の放射装置１０６におけるレーザー光の発振を停止させるだけで全てのレーザー光の照射を止めることができ、人間の目などへの安全性を容易に確保することが可能となる。
【００６０】
［その他］
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００６１】
例えば、図６に示すように、発光装置１００は、導光部材１０１の両端にそれぞれ接続される二つの放射装置１０６を備えても構わない。またこの場合、発光装置１００は、各放射装置１０６のレーザーダイオードにそれぞれ接続される二つの検出装置１０７を備えても構わない。さらに、発光装置１００は、遮断部１６３および低出力部１６４を有する制御装置１６０を別途備え、複数の検出装置１０７からそれぞれ報知される状態情報に基づき、複数の電源装置１６９を制御しても構わない。
【００６２】
このような発光装置１００では例えば、第一レーザーダイオード１６１、および、第二レーザーダイオード１６２を交互に発振させて発光装置１００を定格点灯させておき、レーザー光を放射していない非放射状態の第一レーザーダイオード１６１、および、第二レーザーダイオード１６２の起電力を交互に検出装置１０７に検出させる。そして、いずれか一方のレーザーダイオードの起電力が所定の第三閾値以下となった場合、検出装置１０７は、状態情報として異常を報知し、当該状態情報を受信した制御装置１６０は、二つの放射装置１０６のレーザー光の放射を遮断してもよい。
【００６３】
これによれば、発光装置１００が定格点灯している間に導光部材１０１が突然断線したような場合でも、高い応答性で全てのレーザー発振を停止させることができ、人の目に対する安全性をより高くすることが可能となる。
【００６４】
また、複数のレーザーダイオードから放射されるレーザー光を導光部材１０１の両端にそれぞれ入射させる場合を説明したが、一つのレーザーダイオードから放射されるレーザー光をビームスプリッタで二つに分け、分けられた二つのレーザー光をそれぞれ導光部材１０１の両端部に入射させても構わない。
【００６５】
また、点検モードにおいて、レーザーダイオードに定格出力よりも弱いレーザー光を発振させる場合、レーザー光を所定のパルスパターンで発振させても構わない。これによれば、導光部材が正常な場合、検出装置は同様のパルスパターンでレーザーダイオードの起電力を検出でき、ノイズと信号とを区別することが可能となる。
【００６６】
また、発光装置１００は、図７に示すように、導光部材１０１、および、副導光部材１０２を挿通状態で保護する管状の保護部材１０５を備えても構わない。
【００６７】
保護部材１０５は、導光部材１０１の第一受光端部１１１と副導光部材１０２の第三受光端部１２１とが同じ開口端側に配置されるように導光部材１０１と副導光部材１０２とを保持することで、一つの放射装置１０６に容易に接続することができる。また、保護部材１０５は、導光部材１０１を収容する第一室１５４と、副導光部材１０２を収容し副導光部材１０２から漏出する光を遮光する第二室１５５とを区画する隔壁部１５１とを備えてもよい。また、保護部材１０５の第一室１５４側の周壁は、変換部材１０３から放射される光を透過することができる透明な透光部１５２であり、第二室１５５側の周壁は、副導光部材１０２から不本意に漏れ出る光を遮光する遮光部１５３としてもよい。さらに、隔壁部１５１は、副導光部材１０２から漏れ出る光を遮光し、変換部材１０３から放射される光を反射する不透明な白色としてもよい。
【符号の説明】
【００６８】
１００  発光装置
１０１  導光部材
１０３  変換部材
１０４  折り返し部材
１０６  放射装置
１０７  検出装置
１１１  第一受光端部
１１２  第二受光端部
１１３  漏出手段
１６１  第一レーザーダイオード
１６２  第二レーザーダイオード
【図１】
2018018720.tif 000003
【図２】
2018018720.tif 000004
【図３】
2018018720.tif 000005
【図４】
2018018720.tif 000006
【図５】
2018018720.tif 000007
【図６】
2018018720.tif 000008
【図７】
2018018720.tif 000009